(57)【要約】  オートステレオスコピック表示デバイスは、マトリックス表示スクリーン（２）と、その前に配置されたレンティキュラ・アレイ（４）と、前記表示スクリーン（２）の垂直軸に関して傾けられたレンティキュラ軸とを含み、前記レンティキュラ・アレイ（４）は、表示スクリーンによって送られるラスタ・イメージを受け取り、光学的に処理する形で配置され、前記ラスタ・イメージは、同一シーンの複数（Ｐ個）の視点を統合するためにエンコードされる。表示スクリーン（２）によって放たれるイメージは、それぞれがシーン画素イメージの複数（Ｐ個）の視点からなる３次元画素（Ｐ３Ｄ）のアセンブリによって形成され、それぞれの画素イメージの異なる視点は、各３次元画素（Ｐ３Ｄ）内で水平にエンコードされ、前記それぞれの画素イメージの各視点に関連する３色は、レンティキュラ軸に実質的に平行なエンコーディング軸に従って３行でエンコードされる。前記発明は、広告表示および公衆通信パネルに使用される。
2008517310.tif 000002
【特許請求の範囲】
【請求項１】
マトリックス表示スクリーン（２）と、前記表示スクリーン（２）の前に配置され、前記表示スクリーン（２）の垂直軸に関して傾けられたレンティキュラ軸を有するレンティキュラ・アレイ（４）とを含み、前記レンティキュラ・アレイ（４）が、前記表示スクリーン（２）によって送られるラスタ・イメージを受け取り、光学的に処理するように設計され、前記ラスタ・イメージが、同一シーンの複数（Ｐ個）の視点を統合するためにエンコードされる、オートステレオスコピック表示デバイス（１）であって、
前記表示スクリーン（２）によって送られる前記イメージが、それぞれが前記シーンのイメージ画素の前記複数（Ｐ個）の視点からなる３次元画素（Ｐ３Ｄ）のセットからなることと、各３次元画素（Ｐ３Ｄ）内で、当のイメージ画素の様々な視点が、水平にエンコードされ、当の前記イメージ画素の各視点に関連する３色が、前記レンティキュラ軸に実質的に平行なエンコーディング軸に沿って３行でエンコードされることとを特徴とするオートステレオスコピック表示デバイス。
【請求項２】
前記マトリックス表示スクリーンが、それぞれが３つの色列（ＲＧＢ）を含む画素のセットを含み、このスクリーンが、複数（Ｐ個）の視点に従ってＮ個の３次元画素の内容をエンコードすることから生じる信号を受け取るように設計され、
前記レンティキュラ・アレイが、前記表示スクリーンの列の軸に関して所定の傾斜角αを形成するレンティキュラ軸に沿って平行に配置された複数のシリンドリカル・レンズを含み、各３次元画素が、前記複数（Ｐ個）の視点のうちの視点ごとに、第１色の第１セル、第２色の第２セル、および、第３色の第３セルの形でエンコードされ、前記第１、第２、および、第３セルが、それぞれ、前記レンズの軸に実質的に平行な斜め方向に沿って、３つの連続する行および３つの連続する色列に配置され、同一イメージ画素に関連するＰ個の連続する視点が、前記第１、第２、および、第３色の循環オフセットを伴って、水平軸に沿って連続して配置される、請求項１に記載のデバイス。
【請求項３】
前記レンティキュラ・アレイ（４）が、配置されることによって、前記マトリックス・スクリーン（２）の１つの行内で、前記レンティキュラ・アレイの各レンズ（Ｌｉ）が、視点の個数Ｐと等しい個数のカラー・セルを実質的にカバーすることを特徴とする、請求項２に記載のデバイス。
【請求項４】
前記レンティキュラ・アレイ（４）のピッチ（ｌ）が、同一イメージ画素の前記複数（Ｐ個）の視点の水平幅と、前記傾斜角αの余弦と、最適表示距離Ｄｏｐｔおよび前記レンティキュラ・アレイの焦点距離ｆの合計に対するこの最適距離Ｄｏｐｔの比との積と、実質的に等しいことを特徴とする、請求項３に記載のデバイス。
【請求項５】
前記傾斜角αは、ｔａｎαが、カラー・セルの高さ（ＣＣｖ）に対する前記カラー・セルの幅（ＣＣｈ）の比と実質的に等しくなるように選択されることを特徴とする、請求項４に記載のデバイス。
【請求項６】
前記電子表示スクリーン（２）が、プラズマ・スクリーンであることを特徴とする、請求項１乃至５のいずれかに記載のデバイス。
【請求項７】
前記電子表示スクリーンが、液晶スクリーン（ＬＣＤ）であることを特徴とする、請求項１乃至５のいずれかに記載のデバイス。
【請求項８】
前記請求項のいずれかに記載のオートステレオスコピック表示デバイス（１）に使用されるオートステレオスコピック表示方法であって、
２次元表示スクリーン（２）を介して、複数（Ｐ個）の視点から獲得されたイメージから前にエンコードされたイメージを表示することと、
３次元イメージ（Ｉｍ，Ｉｎ）をリモートに生成するために、前記表示スクリーン（２）の前に配置され、前記表示スクリーンの垂直軸に関して傾けられたレンティキュラ軸を有するレンティキュラ・アレイ（４）を介して、前記表示されたイメージを受け取り、光学的に処理することであって、前記ラスタ・イメージが、前記イメージの複数（Ｐ個）の視点を統合するためにエンコードされる、前記表示されたイメージを受け取り、光学的に処理することと
を含み、
前記表示スクリーンによって送られる前記イメージが、表示されるシーンのイメージ画素の前記複数（Ｐ個）の視点からそれぞれがなる３次元画素のセットからなることと、各３次元画素内で、当のイメージ画素の様々な視点が、水平にエンコードされ、当の前記イメージ画素の各視点に関連する３色が、前記レンティキュラ軸に実質的に平行なエンコーディング軸に沿って３行でエンコードされることとを特徴とする
オートステレオスコピック表示方法。
【請求項９】
複数（Ｐ個）の視点によるＮ個の３次元画素（Ｐ３Ｄ）の内容のエンコーディングから生じる信号のエンコーディングからの、水平に配置された３つのカラー・セル（ＲＧＢ）をそれぞれが含む画素のセットの、電子表示スクリーン（２）によるマトリックス表示と、
前記表示スクリーン（２）の前に配置されたレンティキュラ・アレイ（４）を介する立体イメージの作成であって、このアレイが、前記表示スクリーン（２）の列の軸に関して所定の傾斜角αを形成するレンティキュラ軸に沿って平行に配置された複数のシリンドリカル・レンズを含む、立体イメージの作成と
を含み、
所与の３次元画素（Ｐ３Ｄ）の各視点が、第１色の第１セル、第２色の第２セル、および、第３色の第３セルでエンコードされ、前記第１、第２、および、第３セルが、それぞれ、前記レンズの軸に実質的に平行な直線に沿って、３つの連続する行および３つの連続する色列に配置され、同一イメージ画素に関連するＰ個の連続する視点が、前記第１、第２、および、第３色の循環オフセットを伴って、水平軸に沿って連続して配置されることを特徴とする
請求項８に記載の表示方法。
【請求項１０】
請求項１から７のいずれかに記載の表示デバイス（１）にイメージ内容を供給するために実施される、カラー立体イメージの合成方法であって、
前記表示デバイスの各画素が３つの水平に連続するカラー・セルからなり、それぞれがイメージ画素のマトリックスの形である複数（Ｐ個）の、以前に入手されまたは収集されたデジタル・イメージ（Ｉ）からの、前記イメージ画素に関連する視点にそれぞれが対応するＰ個のエンコードされた画素のセットをそれぞれが含む３次元画素（Ｐ３Ｄ）の集団からなるエンコードされた表示マトリックス（ＭＣ）の合成（ＩＩ）であって、各エンコードされた画素が、それぞれ第１、第２、および、第３の色に関連し、それぞれ３つの連続する行および連続する列に配置される、３つの第１、第２、および、第３のエンコーディング・セルからなり、その結果、所与の視点に関連する前記エンコードされた画素が、複数の連続する行および列にまたがってオフセットされたセルの間の斜め方向に沿って実質的に位置合わせされるようになり、同一の３次元画素（Ｐ３Ｄ）の前記エンコードされた画素が、各連続するエンコードされた画素内の色の循環オフセットを伴って、水平軸に沿って連続して配置される、合成（ＩＩ）
を含む、合成方法。
【請求項１１】
前記合成される表示マトリックス（ＭＣ）の各列が、同一の色に関連するエンコーディング・セルを含むことを特徴とする、請求項１０に記載の合成方法。
【発明の詳細な説明】
【技術分野】
【０００１】
本発明は、レンティキュラ・オートステレオスコピック（ａｕｔｏｓｔｅｒｅｏｓｃｏｐｉｃ）表示デバイスに関する。本発明は、このデバイスで実施されるオートステレオスコピック表示方法ならびに関連するオートステレオスコピック・イメージ合成方法にも関する。
【０００２】
本発明の分野は、より具体的には、例えば広告メッセージまたは広報メッセージを放送することを意図された３次元カラー表示スクリーンの分野に関する。
【背景技術】
【０００３】
パララックスバリア（ｐａｒａｌｌａｘ  ｂａｒｒｉｅｒ）テクノロジまたはレンティキュラ・テクノロジのいずれかを実施する、眼鏡なしのオートステレオスコピック表示デバイスは、既知である。全体的に、オートステレオスコピック表示スクリーンには、
−  プラズマまたは液晶（ＬＣＤ）テクノロジ、すなわち、以前にエンコードされた内容を放送する２次元電子スクリーンと、
−  前記２次元スクリーンから短い距離に配置され、送出中に動作する、パララックスバリア方式またはレンティキュラ方式のいずれかとすることができる２Ｄ−３Ｄ変換スクリーンと
が含まれる。
【０００４】
パララックスバリア方式は、実施が簡単であり、作るのが安価であるが、特に多数の画角をエンコードすることが望まれる時に、多すぎる光子を有するという障害を構成する。したがって、オートステレオスコピック・スクリーン・マスクの１０％未満が透過されることがあり得る。これは、光子束および画面の輝度に関連する問題をもたらす。
【０００５】
レンティキュラ・アレイを実施するオートステレオスコピック・スクリーンは、非常に少ない光子損失を有し、したがって、１００％に近い透過率を有するが、製造によりコストがかかり、使用するのがよりむずかしい。
【０００６】
しかし、現在のレンティキュラ・カラー・オートステレオスコピック・スクリーンは、視点の個数に基づく水平解像度損失問題を有する。解像度は、画角の個数によって除算される。そうであるので、オートステレオスコピック・スクリーンの前の見る人の満足を保証するためには、多数のＰ個の視点を設ける必要がある。画面のぼけた区域は、表面係数（ｓｕｒｆａｃｅ  ｆａｃｔｏｒ）１／Ｐを表す。Ｐの選択におけるよい妥協は、８と１０との間にあると思われる。
【０００７】
したがって、提起される問題は、水平および垂直の解像度損失を等化するために２Ｄ電子スクリーン上でＰ個のビューをエンコードすると同時に、ＲＧＢ（赤、緑、青）カラー・エンコーディングを保存する適当な形を見つけることである。立体効果は、眼の形態学に起因して、必ず水平効果でなければならない。したがって、立体エンコーディングは、必ず水平でなければならない。
【０００８】
したがって、ＰＣＴ公告ＷＯ００１０３３２に、１行での水平のエンコーディングが開示されている。カラーのエンコーディングも、連続する３Ｄ画素（レンティキュール（ｌｅｎｔｉｃｕｌｅ））ごとに１つの異なる色を伴って、１行で水平に実行される。このことは、レンティキュールが垂直であるが、解像度の損失が水平軸上のみであることを意味する。その結果、各撮影のイメージが非常に不均整なものになる。例えば、２Ｄの１２００×７６８画素サイズのスクリーンが検討され、８つのイメージがエンコードされる場合に、したがって、各ビューの解像度は１５０×７６８であり、これは、イメージ全体にわたる解像度に大きな損失が生ずることを意味する。
【０００９】
さらに、３Ｄ画素をエンコードする色は、互いから非常に離れており、３色をエンコードするレンティキュールのピッチの２倍離れている。その場合に、色を一緒に混合することが得られるが、これは、多数の画角が望まれる場合には、網膜上であまりよくないことである。
【００１０】
欧州特許ＥＰ０７９１８４７Ｂ１で開示されたオートステレオスコピック・スクリーンでは、ビューが、全体に水平にエンコードされるが、最低限でスクリーン画素の３行で垂直にもエンコードされる。カラーエンコーディング面は、少なくとも、３スクリーン画素（垂直方向で）あたりレンティキュールのサイズ（水平方向で）の１倍に等しい。解像度の損失は、水平および垂直で均一である。しかし、このようなエンコーディングは、一部のＬＣＤスクリーンの場合のように、画素間および画素のカラー・セル間の間隔が重要である２Ｄスクリーンについては適当と考えられる場合であっても、セルが非常に近いか、ほとんど一緒に接合され、これが様々なビューのイメージのかなりの混合につながるプラズマ・スクリーンについては、満足に適合するものとはなり得ない。
【特許文献１】ＰＣＴ公告ＷＯ００１０３３２
【特許文献２】欧州特許ＥＰ０７９１８４７Ｂ１
【発明の開示】
【発明が解決しようとする課題】
【００１１】
本発明の課題は、現在のデバイスより高い解像度を得ることができるレンティキュラ・カラー・オートステレオスコピック表示デバイスを提案することである。
【課題を解決するための手段】
【００１２】
この課題は、マトリックス表示スクリーンと、表示スクリーンの前に配置され、表示スクリーンの垂直軸に関して傾けられたレンティキュラ軸を有するレンティキュラ・アレイとを含み、このレンティキュラ・アレイが、表示スクリーンによって送られるラスタ・イメージを受け取り、光学的に処理するように設計され、このラスタ・イメージが、同一シーンの複数Ｐ個の視点を統合するためにエンコードされる、オートステレオスコピック表示デバイスを以て達成される。
【００１３】
本発明によれば、表示スクリーンによって送られるイメージは、それぞれが表示されるシーンのイメージ画素の複数（Ｐ個）の視点からなる３次元画素のセットからなり、各３次元画素内で、当のイメージ画素の様々な視点は、水平にエンコードされ、当の前記イメージ画素の各視点に関連する３色が、レンティキュラ軸に実質的に平行なエンコーディング軸に沿って３行でエンコードされる。
【００１４】
この場合に、イメージは、浮彫りで表されたシーンを意味すると理解される。これを達成するためには、このイメージの複数のＰ個の視点が必要である。１つのイメージ画素が、シーンの１画素のＰ個の視点に対応する。
【００１５】
水平および垂直の解像度の損失を等化するという問題は、本発明による表示デバイスを用いて、特に約８個、９個、または１０個という複数の視点について解決される。実際に、従来技術のデバイスで使用されるエンコーディング技法に反して、本発明では、実際の分離が、一方では、必ず水平次元で扱われなければならない実体映像の問題と、本明細書では実際にはレンティキュラ・アレイのエンコーディング軸であるエンコーディング軸に沿った３行で扱われるカラー・エンコーディングの問題との間で行われる。
【００１６】
本発明によるオートステレオスコピック表示デバイスのより特定の実施形態では、
−  マトリックス表示スクリーンは、それぞれが３つの色列（ＲＧＢ）を含む画素のセットを含み、このスクリーンは、複数（Ｐ個）の視点に従ってＮ個の３次元画素の内容をエンコードすることから生じる信号を受け取るように設計され、
−  レンティキュラ・アレイは、表示スクリーンの列の軸に関して所定の傾斜角αを形成するレンティキュラ軸に沿って平行に配置された複数のシリンドリカル・レンズ（かまぼこ形レンズ）を含み、
各３次元画素は、複数（Ｐ個）の視点のうちの視点ごとに、第１色の第１セル、第２色の第２セル、および、第３色の第３セルの形でエンコードされ、前記第１、第２、および、第３セルは、それぞれ、レンズの軸に実質的に平行な斜め方向に沿って、３つの連続する行および３つの連続する色列に配置され、同一イメージ画素に関連するＰ個の連続する視点は、前記第１、第２、および、第３色の循環オフセットを伴って、水平軸に沿って連続して配置される。
【００１７】
レンティキュラ・アレイは、有利に配置され、それによって、マトリックス・スクリーンの１つの行内で、レンティキュラ・アレイの各レンズが、視点の個数Ｐと等しい個数のセルを実質的にカバーする。
【００１８】
レンティキュラ・アレイのピッチは、同一イメージ画素の複数（Ｐ個）の視点の水平幅と、傾斜角αの余弦との積と実質的に等しくなるように選択されることが好ましい。
【００１９】
したがって、傾斜角αは、ｔａｎαが、カラー・セルの高さに対する前記カラー・セルの幅の比と実質的に等しくなるように有利に選択される。
【００２０】
本発明によるオートステレオスコピック表示デバイスの好ましい実施形態では、電子表示スクリーンは、プラズマ・スクリーンである。
【００２１】
本発明のもう１つの態様によれば、本発明によるオートステレオスコピック表示デバイスに使用されるオートステレオスコピック表示方法が提案され、この方法は、
−  ２次元表示スクリーンを介して、複数の視点から獲得されたイメージから前にエンコードされたイメージを表示することと、
−  ３次元イメージをリモートに生成するために、前記表示スクリーンの前に配置され、前記表示スクリーンの垂直軸に関して傾けられたレンティキュラ軸を有するレンティキュラ・アレイを介して、前記表示されたイメージを受け取り、光学的に処理することであって、前記ラスタ・イメージが、前記イメージの複数の視点を統合するためにエンコードされる、前記表示されたイメージを受け取り、光学的に処理することと
を含む。
【００２２】
本発明によれば、表示スクリーンによって送られるイメージは、表示されるシーンのイメージ画素の複数（Ｐ個）の視点からそれぞれがなる３次元画素のセットからなり、各３次元画素内で、当のイメージ画素の様々な視点は、水平にエンコードされ、当の前記イメージ画素の各視点に関連する３色は、レンティキュラ軸に実質的に平行なエンコーディング軸に沿って３行でエンコードされる。
【００２３】
本発明による表示方法の一特定の実施態様では、この方法は、
−  複数（Ｐ個）の視点によるＮ個の３次元画素の内容のエンコーディングから生じる信号のエンコーディングからの、水平に配置された３つのカラー・セル（ＲＧＢ）をそれぞれが含む画素のセットの、電子表示デバイスによるマトリックス表示と、
−  表示スクリーンの前に配置されたレンティキュラ・アレイを介する立体イメージの作成であって、このアレイが、表示スクリーンの列の軸に関して所定の傾斜角αを形成するレンティキュラ軸に沿って平行に配置された複数のシリンドリカル・レンズを含む、立体イメージの作成と
を含み、
所与の３次元画素の各視点は、第１色の第１セル、第２色の第２セル、および、第３色の第３セルでエンコードされ、前記第１、第２、および、第３セルは、それぞれ、レンズの軸に実質的に平行な直線に沿って、３つの連続する行および３つの連続する色列に配置され、同一イメージ画素に関連するＰ個の連続する視点は、前記第１、第２、および、第３色の循環オフセットを伴って、水平軸に沿って連続して配置される。
【００２４】
本発明のもう１つの態様によれば、本発明による表示デバイスにイメージ内容を供給するために実施される、カラー・オートステレオスコピック・イメージを合成する方法が提案され、この方法は、
それぞれがカラー画素のＨｉ行Ｖｉ列内のイメージ画素のマトリックスの形であり、それぞれがイメージのＰ個の視点のうちの１つに対応し、各カラー画素が３つの水平に連続するカラー・セルからなる、複数（Ｐ個）の使用可能なデジタル・イメージからの、前記イメージ画素のうちの１つにそれぞれが関連する３次元画素の集団からなるエンコードされた表示マトリックスの合成であって、各３次元画素が、前記イメージ画素に関連する視点にそれぞれが対応するＰ個のエンコードされた画素のセットを含み、各エンコードされた画素が、それぞれ第１、第２、および、第３の色に関連し、それぞれ３つの連続する行および連続する列に配置される、３つの第１、第２、および、第３のエンコーディング・セルからなり、その結果、所与の視点に関連する前記エンコードされた画素が、複数の連続する行および列にまたがってオフセットされたセルの間の斜め方向に沿って実質的に位置合わせされるようになり、同一の３次元画素の前記エンコードされた画素が、各連続するエンコードされた画素内の色の循環オフセットを伴って、水平軸に沿って連続して配置される、合成を含む。
【００２５】
本発明の他の利点および特性は、非限定的な実施形態の詳細な説明を読むことにより、および添付図面から、より明白になるであろう。
【発明を実施するための最良の形態】
【００２６】
本発明による例示的なオートステレオスコピック表示デバイスを、まず図１および２を参照して説明する。
【００２７】
オートステレオスコピック表示デバイス１には、エンコードされたイメージを生成する電子モジュール３に接続されたプラズマ・スクリーン２と、プラズマ・スクリーンの垂直軸に関して角度αで傾けられた平行シリンドリカル・レンズ（かまぼこ形レンズ）のアレイの形のレンティキュラ・フィルタ４とが含まれ、このレンティキュラ・フィルタ４は、プラズマ・スクリーンの前でレンズの焦点距離Ｆ１と実質的に等しい距離に配置され、焦点距離Ｆ１は、実際の例示的実施形態では２０ｍｍであり、表示スクリーンの各カラー・セルは、２８６μｍの幅を有する。
【００２８】
本発明によるオートステレオスコピック表示デバイスは、スクリーンから十分に大きい距離Ｄ、例えば４．５ｍを超える距離で広告または情報メッセージの表示を提供することが想定され、これによって、見る人の各眼ＯＧ  ＯＤは、レンティキュラ・アレイ４によって提供される別々の光学イメージＩｍ、Ｉｎを受け取り、これによって、立体効果を介して、この見る人は、３次元イメージを知覚する。
【００２９】
シリンドリカル・レンズの焦点距離は、所望の最適距離に依存する。この最適距離では、２つの連続するカラー・セルによってエンコードされた２つの連続するイメージが、２つの眼の間の平均距離Ｄｙだけ、例えば６５ｍｍだけ離されることが必要である。レンズの焦点距離ｆは、カラー・セルの幅ＣＣｈおよび最適距離Ｄｏｐｔを基礎として、式
Ｆ＝ＣＣｈ・Ｄｏｐｔ／Ｄｙ≒２０ｍｍ
を使用して決定することができる。
【００３０】
例えば、所望の最適距離Ｄｏｐｔが４．５ｍであり、幅ＣＣｈが２８６μｍと等しい場合に、焦点距離ｆは、約２０ｍｍである。
【００３１】
図２を参照すると、プラズマ・スクリーン２は、画素のＶ個の行、図２ではＬ１〜Ｌ６と、Ｈ個の画素列、図２ではＣ１〜Ｃ６とを含む基本セルのマトリックスからなり、画素の各列には、カラー・セルＲ  Ｖ  Ｂの３つの列が含まれる。非限定的な例示のために、各セルは、高さＣＣｖおよび幅ＣＣｈを有する。表示マトリックスの列は、連続する赤、緑、および青のカラー・セル列である。説明される事例では、イメージの立体エンコーディングで考慮に入れられる視点の個数Ｐは、９と等しい。
【００３２】
例示のために、ＰＩＯＮＥＥＲ社のＰＤＰ５０ＭＸＥ１など、７６８×１２８０画素マトリックスに対応する、現在市販されているプラズマ・テクノロジ・スクリーンについて、各セルは、８０８μｍと等しい高さＣＣｖおよび２８６μｍの幅ＣＣｈを有する。
【００３３】
表示マトリックスＭＣは、３次元画素すなわち３Ｄ画素のセットからなるようにエンコードされ、各３Ｄ画素は、９つのエンコーディング画素からなり、各エンコーディング画素は、エンコードされたイメージ画素の１つの視点に対応し、３Ｄ画素内で水平に配置される。したがって、図１を参照すると、各３Ｄ画素は、Ｐ個の視点を有する表示マトリックス内の同一のエンコードされたイメージ点のＰ個（例えば９個）のエンコーディング画素Ｐｋの集団と考えることができる。
【００３４】
図２に示された例によれば、３Ｄ画素１２は、イメージ点座標（１，２）に対応するが、９つのエンコーディング画素（１１，２）、（２１，２）、（３１，２）、（４１，２）、（５１，２）、（６１，２）、（７１，２）、（８１，２）、および（９１，２）からなり、これらのエンコーディング画素のそれぞれは、関係するイメージ画素（１，２）の１つの視点に関連する。エンコーディング画素（１１，２）自体は、次の３つのセルからなる。
−  画素列Ｃ４、行Ｌ１に位置する第１「赤」セル１１，２、
−  画素列Ｃ３、行Ｌ２に位置する第２「青」セル１１，２、および
−  画素列Ｃ３、行Ｌ３に位置する第３「緑」セル１１，２。
【００３５】
３Ｄ画素１２の９つのエンコーディング画素は、シリンドリカル・レンティキュールＬｉに水平にオーバーラップしており、これによって実質的にカバーされ、このシリンドリカル・レンティキュールＬｉは、３Ｄ画素のこのカバレッジを保証するために決定される傾斜角αおよび幅ｌを有する。
【００３６】
傾斜角αは、ｔａｎαが、セルの幅ＣＣｈに対するそのセルの高さＣＣｖの比と等しくなる値である。
【００３７】
レンティキュールの幅ｌは、特に所望の最適距離に依存する。実際に、見る人が最適距離（最終距離）にいる時に、その見る人の片目によって、２つの連続するシリンドリカル・レンズを介して同時に見られる２次元画面の２つの点を分離する距離は、シリンドリカル・レンズの軸を分離する水平距離と正確に等しくはない。比例の関係は、Ｄｏｐｔ／（Ｄｏｐｔ＋ｆ）と等しい。
【００３８】
したがって、各レンティキュラ要素の幅ｌは、次の式から決定することができる。
ｌ＝ｃｏｓα・Ｐ・ＣＣｈ・Ｄｏｐｔ／（Ｄｏｐｔ＋ｆ）
【００３９】
したがって、各エンコーディング画素は、３つのカラー・セルからなり、このカラー・セルのそれぞれは、画素の連続する行に属し、３Ｄ画素内のカラー列に属し、これによって、このエンコーディング画素は、レンティキュラ・アレイ軸に実質的に平行なカラー・エンコーディング軸を有する。さらに、各エンコーディング画素のカラー・シーケンスは、３Ｄ画素内の各連続するエンコーディング画素に関して循環式にオフセットされる。
【００４０】
次いで、本発明によるオートステレオスコピック・イメージ合成方法を実施する例を、図３を参照して説明するが、これらのイメージは、本発明によるオートステレオスコピック表示デバイスに与えることを意図されたものである。
【００４１】
最初に検討されるのは、立体効果を入手するために適当に選択される、複数（Ｐ個）の、例えば９個からなる視点によるデジタル・イメージを入手するための予備フェーズ（Ｉ）である。
【００４２】
Ｐ個のデジタル・イメージは、合成するか、リモート・サイトまたはイメージ・バンクから収集するか、さもなければフィルム撮影によって獲得するかのいずれかとすることができる。
【００４３】
視点ごとに、これらのデジタル・イメージＩ１、Ｉ２、．．．、ＩＫ、．．．、ＩＰのそれぞれは、イメージ画素のマトリックスからなり、これらのイメージ画素のそれぞれＰ１（ｉ，ｊ）、．．．、ＰＫ（ｉ，ｊ）には、３つのカラー情報Ｒ  Ｖ  Ｂが含まれる。
【００４４】
この合成方法の第２フェーズ（ＩＩ）は、本発明に固有のエンコーディング・モード、すなわち、立体視点の水平エンコーディングおよび各エンコーディング画素Ｐ１（Ｉ，ｊ）、．．．ＰＫ（ｉ，ｊ）の色の傾斜したエンコーディングを使用する、９つの視点に対応する９つのイメージ画素の寄せ集めから、図３でＰ３Ｄ（ｉ，ｊ）として参照される３Ｄイメージをイメージ点（ｉ，ｊ）ごとに作成することによって、表示マトリックスＭＣを構成することにある。
【００４５】
第３フェーズ（ＩＩＩ）では、それぞれがエンコードされたシーケンスＳＣのイメージに対応する表示マトリックスＭＣが、本発明によるオートステレオスコピック表示デバイス１の制御プロセッサから来る要求に応答してアクティブ化されることを意図された、イメージ・ストレージ・ユニットＵＳに保管される。
【００４６】
もちろん、本発明は、上述した例に限定されず、多数の特徴を、本発明の範囲を超えることなくこれらの例に追加することができる。特に、本発明は、プラズマ・スクリーンの単一の例に限定される訳ではなく、連続セルまたは離隔されたセルを有する、マトリックス構造を有する他のスクリーン・タイプと共に実施することができる。さらに、少なくとも２個と等しいならば、９個以外の視点の個数を、およびカラー表示の分野で現在はベンチマークを構成するＲＧＢ以外のカラー・エンコーディングを想定することも、もちろん可能である。
【図面の簡単な説明】
【００４７】
【図１】本発明によるオートステレオスコピック表示デバイスを示す概略図である。
【図２】本発明によるオートステレオスコピック表示デバイスによって処理されるエンコードされたイメージの内部構造を示す図である。
【図３】本発明によるイメージ合成方法の主なステップを示す図である。
【図１】
2008517310.tif 000003
【図２】
2008517310.tif 000004
【図３】
2008517310.tif 000005
【国際調査報告】
2008517310.tif 000006
2008517310.tif 000007
2008517310.tif 000008
2008517310.tif 000009
2008517310.tif 000010
2008517310.tif 000011